(57)【要約】      （修正有）【課題】靴下の簡便確実な挿着化。【解決手段】足型シートの先端部を上方手前にカール化し、正反側に握り引手部を形成して解決。【選択図】図１
2006055572.tif 000002
【特許請求の範囲】
【請求項１】
足幅細長状シートの爪先先端部が、短にて上方手前にカール又は、カール状成し得る折目等有し、正反部分が細幅状握り引手部又は、適宜長の先部に引き指掛けリング穴もしくは、突起状握り引手部形成した靴下挿着具。
【発明の詳細な説明】
【発明の詳細な説明】
【技術分野】
【０００１】  一般家庭学校スポーツ系現場の日用雑貨及び、身障者老人等の介助介護用靴下挿着具に関する。
【背景技術】
【０００２】  靴下を簡易に挿着し得る機能有した物や安価な介助挿着具は、皆無であった。
【発明の開示】
【発明が解決しようとする課題】
【０００３】  身障者・身体レベルの衰えた方にとって靴下履きは大変苦痛で又、要介護者の場合の挿着作業は、介助介護保護者側も大変であった。
【課題を解決するための手段】
【０００４】  靴下挿着を，何方でもが簡便スムーズに供施る様、従来から有る靴ベラ的単純な考え方を、滑り性優し若干腰ある素材の先端カール部とした、足幅の細長状シート材にて解決。
【発明の効果】
【０００５】  薄箔状シートにて違和感なく、確実簡単簡便一気に靴下挿着でき、利用者・介助介護者共に負担解消され手軽にＡＤＬ向上自立化図れ又、一般総ての人も使える物とした。
【発明を実施するための最良の形態】
【０００６】  一般家庭にても使用可で有るが、主に各施設（ディケア・通所リハ）現場の入浴後の介助補助用及び、スポーツ系の場にて供する。
【実施例】
【０００７】    図１  Ａであるが、適宜な硬度有し且つ、滑り性持つ薄箔シート材から成る、足型シート１で爪先先端部が、図示の様に上方手前に短くカール状２に成型、正反部分は適宜長の握り引手部３、本実施例では、エンドを突起部５としその位置にリング穴４形成した物である。【０００８】  使用法は、足型シート１の上に素足を載せ（爪先をカール部近くで）、靴下の先口より先端まで引き入れ、握り引手部３もしくは、リング穴４に指を掛け一気に引き抜くと挿着完了と成る。【０００９】  本挿着具は、左右足兼用で又、カール状２部分を折目などもってそのカール目的（挿着挿入性）の代用としても良い。
又、素材は、半硬質樹脂シート材等で有るが図１  Ｂの様に、コスト高ではあるが飲料用空ＰＥＴボトル６（２リットル入）をカットした再生品でも良い。
使用する靴下の種類・質・長さ・強さ等問わず、重ね履き時も楽々である。
【産業上の利用可能性】
【００１０】  医療医学の発達・食生活改善等にて長寿命化が進み、医療介護介助の対策は、サービス産業の重要なテーマあり、確実・安価な介助具提供も同じと考えられる又、一般家庭スポーツ系現場でも使用でき利用範囲が広い、飲料ＰＥＴ（２リットル入り）空容器の簡易カット加工法があれば、環境に優しい再生商品化も有り得又、本発明品の素材も目的機能強度等有せば、適宜な材料（紙・樹脂ペーパー・半硬質ビニールシート等）で良く、超安価に製造でき衛生面を考え抗菌処理したものでも良い。
【図面の簡単な説明】
【００１１】
【図１】Ａは、本発明を示すイラスト図である。Ｂは、ペットボトル再利用法のカット例である。
【符号の説明】
【００１２】  １      足型シート
２      カール状
３      握り引手部
４      リング穴
５      突起部
６      ＰＥＴボトル
【図１】
2006055572.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
座台と座面が互いに摺回動する二層面の座布団状シートで、裏底面の全面又は、一部面に一方向性特殊ナイロン繊維＝スパンナイロンモケットを定方向状に配し、その筋目に直交する引手用取手部持つ、福祉用回転横移動介助具。
【手続補正３】
【補正対象書類名】明細書
【補正対象項目名】全文
【補正方法】変更
【補正の内容】
【発明の詳細な説明】
【技術分野】
【０００１】
福祉用の座布団シート及び、車用座席シート着座時の介助具に関する。
【背景技術】
【０００２】
機能性有した座布団・座面シートは少なく、特に確実なる柔らかいシート（マット）上で使用出来る回転横移動介助具は無かつた。
【発明の開示】
【発明が解決しようとする課題】
【０００３】
主に、車への乗込み・方向変換・横移動等は、身障者・足腰の弱くなられた方にとって苦痛、介助介護保護者側も大変であった。
【課題を解決するための手段】
【０００４】
スムーズに横移動しかし、止めた位置にて微動だせず特に前方には許されない、このあい相反する機能を満たす為、スパンナイロンモケット繊維を使う。
【発明の効果】
【０００５】
シンプル・薄箔状にて違和感なく、スパンナイロンモケット繊維の特性にて楽に要介護者の必要に応じた座台押し・引きが出来、安全快適に横移動が可能となり且つ、止めた位置にて動かず特に前方には微動だしない又、方向変換（回転）機能も持ち使用者介助者共に楽に成る。
【発明を実施するための最良の形態】
【０００６】
本発明介助具は、車乗込み時に座布団状シートとして敷いて使う。
【実施例】
【０００７】
一実施例をイラスト図で示し説明する。
【０００８】
本介助具は、座布団状の形状で主に座台１・座面2にて構成、本実施例では座台１略、40ｃｍ角強で一対の辺中央両端部に突き出て取手部３が一体で形成され、中央には座面２との回転連結用の穴孔、底面には両取手部３に対し直交方向で適宜の配置と面積持つスパンナイロンモケット5繊維を同一繊維傾斜筋目で溶着接着等もって完全接合された物で素材は、独立中空層有すポリプロピレン材ボードシート材。
座面２も、略40ｃｍ強の円形状座面で同じく回転連結用穴孔が有り連結ピン６にてセット（不要でも良いが、必要性能に応じ滑り材シート材７等介す）され、その素材も座台１と同材であるが表皮面クッション性有るスポンジシート・ゲル状材等挟んだ仕上げ材でも良い又、座台１と座面２の中心部は、連結ピン（オス・メス）６にて連結されたもので有るが,図３の様に座面２の中央芯部を斜円切抜き９状した材部と座台１を溶着10しても良い、その連結法や外形的形状・座台１座面２の素材に拘るものでは無い。
【０００９】
因って、この介助具は、使途する所が変形柔らかくても腰の強さ適度な硬度・滑り性有る素材にて柔軟に追随滑らす事も又、止め留める事も方向変換の座面回転など可能とし、座台１の移動方向４は必然的に決まる。
【００１０】
スパンナイロンモケット５繊維の特性を生かした、新たな用途を創り出したもので有る。
【００１１】
使用法は、車等の座席シート上にスパンナイロンモケット５の逆らう筋目８を前方にして敷き、その座面２に横向きに着座し回転させ前向きに（単席の場合）し、ベンチシート時、座台１ごと直接横（奥）へ押込むとスムーズに横移動しかし、止めた位置でピタリと止まり動かない又、降車時は、取手部３持ってドァ近くまで引寄せ座面２を回転させ降りて頂く簡便な回転横移動介助具。
【産業上の利用可能性】
【００１２】
医療医学の発達・食生活改善等にて長寿命化が進み医療介護介助の対策は、サービス産業の重要なテーマあり安全・安価な介助具提供も同じと考えられる又、一般家庭やタクシー業務のサービス向上等にも寄与される。
【図面の簡単な説明】
【００１３】
【図１】全体を示すイラスト図。
【図２】座台裏面部のイラスト図である。
【図３】座台・座面の連結ピン部、別実施例時の断面図。
【符号の説明】
【００１４】
１    座台
２    座面
３    取手部
４    移動方向
５    スパンナイロンモケット
６    連結ピン（オス・メス）
７    シート材
８    筋目
９    斜円切抜き
10    溶着
【手続補正４】
【補正対象書類名】図面
【補正対象項目名】全図
【補正方法】変更
【補正の内容】
【図１】
2006055572.tif 000004
【図２】
2006055572.tif 000005
【図３】
2006055572.tif 000006
【手続補正書】
【提出日】平成17年5月2日(2005.5.2)
【手続補正１】
【補正対象書類名】明細書
【補正対象項目名】０００８
【補正方法】変更
【補正の内容】
【０００８】
本介助具は、座布団状の形状で主に座台１・座面2にて構成、本実施例では座台１略、40ｃｍ角強で一対の辺中央両端部に突き出て取手部３が一体で形成され、中央には座面２との回転連結用の穴孔、底面には両取手部３に対し直交方向で適宜の配置と面積持つスパンナイロンモケット5繊維を同一繊維傾斜筋目で溶着接着等もって完全接合された物で素材は、独立中空層有すポリプロピレン材ボードシート材。
座面２も、略40ｃｍ強の円形状座面で同じく回転連結用穴孔が有り連結ピン６にてセット（不要でも良いが、必要性能に応じ滑りシート材７等介す）され、その素材も座台１と同材であるが表皮面クッション性有るスポンジシート・ゲル状材等挟んだ仕上げ材でも良い又、座台１と座面２の中心部は、連結ピン（オス・メス）６にて連結されたもので有るが,図３の様に座面２の中央芯部を斜円切抜き９状した材部と座台１を溶着10しても良い、その連結法や外形的形状・座台１座面２の素材に拘るものでは無い。